(57)【要約】【課題】小さい開口を必要とする化粧料から大きな開口を必要とする化粧料まで種々の化粧料に対応でき、且つ、初回使用時までバージン性を保つことができると共に、製造コストを低減できる化粧料繰出容器を提供すること。【解決手段】蓋部１ｄを充填部材１の少なくとも先端部１ｃと一体成形して充填部材１の先端開口を塞ぎ使用者により当該先端部１ｃに対して切り離し可能とすることにより、充填部材１の先端開口周りに貼着面積を必要としないようにし、小さい開口から大きな開口まで蓋部１ｄにより塞ぐことを可能とする。また、このように、蓋部１ｄを先端部１ｃと一体成形して当該先端部１ｃに対して切り離し可能とすることにより、シール部材に比して剥離の虞を無くすと共に、一々貼着する必要を無くす。【選択図】図１
2010220923.tif 000002
【特許請求の範囲】
【請求項１】
化粧料が充填された筒状の充填部材を備え、この充填部材に充填された前記化粧料を繰り出し前記充填部材の先端開口から出現させて使用可能とする化粧料繰出容器において、
前記充填部材の少なくとも先端部と一体成形され前記先端開口を塞ぐ蓋部を備え、
前記蓋部が、使用者により前記先端部に対して切り離し可能とされていることを特徴とする化粧料繰出容器
【請求項２】
前記蓋部は、前記充填部材の後側の開口から充填される溶融化粧料の冷却・固化により前記充填部材内に棒状化粧料を充填・成形するための型の一部を構成することを特徴とする請求項１記載の化粧料繰出容器。
【請求項３】
前記充填部材の前記先端部は、これより後側の部分である本体部に対して別部材とされて当該本体部の先端に装着される装着部とされ、この装着部と前記蓋部とを一体成形して成る被覆部を備え、
前記被覆部の前記装着部に対して前記蓋部が切り離し可能とされていることを特徴とする請求項１又は２記載の化粧料繰出容器。
【請求項４】
前記充填部材を構成する前記本体部と前記被覆部は、互いに異なる材質から形成されていることを特徴とする請求項３記載の化粧料繰出容器。
【請求項５】
前記蓋部を切り離す切離部は、前記開口の周縁となる部分に環状に設けられ間欠に並ぶ多数の孔を有することを特徴とする請求項１〜４の何れか一項に記載の化粧料繰出容器。
【請求項６】
前記蓋部を切り離す切離部は、前記開口の周縁となる部分に環状に設けられその周囲より薄肉の薄肉部を有することを特徴とする請求項１〜４の何れか一項に記載の化粧料繰出容器。
【請求項７】
前記蓋部には、使用者により切り離される際に把持される突起部が突設されていることを特徴とする請求項１〜６の何れか一項に記載の化粧料繰出容器。
【発明の詳細な説明】
【技術分野】
【０００１】
本発明は、化粧料繰出容器に関する。
【背景技術】
【０００２】
従来、先端面に化粧料を出現させるための開口（分配口）が設けられると共に後側が開放端とされ内部に粘性化粧料が充填された筒状の充填部材（収納部）を備え、使用者の操作に従い中皿が前進し粘性化粧料が先端側に繰り出され開口からすることにより使用状態とする化粧料繰出容器が広く知られている。
【０００３】
このような化粧料繰出容器において、充填部材内に粘性化粧料を充填する方法として、充填部材の先端面にシール部材を貼着して開口を塞ぎ、この開口をシール部材で塞いだ充填部材を逆さにし、後側の開放端から粘性化粧料を充填する方法が、以下の特許文献１に開示されている。そして、この化粧料繰出容器では、使用開始時に、使用者がシール部材を剥がし使用するようになっている。
【先行技術文献】
【特許文献】
【０００４】
【特許文献１】特開２００６−１０２０７６号公報
【発明の概要】
【発明が解決しようとする課題】
【０００５】
しかしながら、上記化粧料繰出容器にあっては、シール部材を充填部材の先端面に貼着し当該先端面の開口を塞ぐ構成のため、充填部材の開口周りにシール部材の貼着面積が必要であり、従って、開口を大きくできず、大きい開口を必要とする化粧料に対応できないという問題がある。また、シール部材は貼着タイプであるから、初回使用時までに剥がれる虞がありバージン性を保てないという問題がある。さらに、充填部材に対してシール部材を一々貼着する必要があり、貼着作業が面倒であり、製造コストが高くなるといった問題もある。
【０００６】
本発明は、このような課題を解決するために成されたものであり、小さい開口を必要とする化粧料から大きな開口を必要とする化粧料まで種々の化粧料に対応できると共に、初回使用時までバージン性を保つことができ（衛生的であり）、加えて、製造コストを低減できる化粧料繰出容器を提供することを課題とする。
【課題を解決するための手段】
【０００７】
本発明による化粧料繰出容器は、化粧料が充填された筒状の充填部材を備え、この充填部材に充填された化粧料を繰り出し充填部材の先端開口から出現させて使用可能とする化粧料繰出容器において、充填部材の少なくとも先端部と一体成形され先端開口を塞ぐ蓋部を備え、蓋部が、使用者により先端部に対して切り離し可能とされていることを特徴としている。
【０００８】
このような化粧料繰出容器によれば、蓋部は、充填部材の少なくとも先端部と一体成形されて充填部材の先端開口を塞ぎ使用者により当該先端部に対して切り離し可能とされているため、充填部材の先端開口周りに貼着面積を必要とせず、従って、小さい開口から大きな開口まで塞ぐことができ、小さい開口を必要とする化粧料から大きな開口を必要とする化粧料（特に太い棒状化粧料）まで種々の化粧料に対応できる。また、このように、蓋部は先端部と一体成形されて当該先端部に対して切り離し可能とされているため、シール部材に比して剥離の虞が無く初回使用時までバージン性を保つことができる（衛生的である）と共に、一々貼着の必要が無く製造コストを低減できる。
【０００９】
ここで、蓋部は、充填部材の後側の開口から充填される溶融化粧料の冷却・固化により充填部材内に棒状化粧料を充填・成形するための型の一部を構成するものであると、上記作用を奏する蓋として機能すると共に、充填部材内に溶融化粧料を充填して棒状化粧料を成形する際の型としても機能し、多機能を発揮することができる。
【００１０】
また、上記作用を奏する構成としては、具体的には、充填部材の先端部は、これより後側の部分である本体部に対して別部材とされて当該本体部の先端に装着される装着部とされ、この装着部と蓋部とを一体成形して成る被覆部を備え、被覆部の装着部に対して蓋部が切り離し可能とされる構成が挙げられる。
【００１１】
また、充填部材を構成する本体部と被覆部は、互いに異なる材質から形成されているのが好ましい。
【００１２】
このような構成を採用した場合、例えば、本体部を硬い材質から構成すると共に、被覆部を本体部より軟らかい材質から構成することによって、本体部内の化粧料が硬い本体部により保護される一方で、本体部の先端に装着され蓋部が切り離された軟らかい装着部が、化粧料の塗布の際に皮膚等の被塗布部に接触することになり、良好な接触感が与えられると共に安全性が高められる。
【００１３】
ここで、蓋部を切り離す切離部の構成としては、具体的には、開口の周縁となる部分に環状に設けられ間欠に並ぶ多数の孔を有する構成が挙げられ、このような多数の孔により蓋部が良好に切り離されるのに加えて、充填部材内に溶融化粧料を充填して棒状化粧料を成形する場合には、充填部材内の空気が孔を通して外部へ逃げることになり、蓋部の内面に対応する部分となる棒状化粧料の先端部がでこぼこになることなく当該蓋部１ｄの内面に密着し、棒状化粧料が充填部材内に綺麗且つ良好に充填されるようになる。
【００１４】
また、蓋部を切り離す切離部としては、具体的には、開口の周縁となる部分に環状に設けられその周囲より薄肉の薄肉部を有する構成も挙げられ、このような薄肉部により蓋部が良好に切り離される。
【００１５】
また、蓋部には、使用者により切り離される際に把持される突起部が突設されていると、使用者が突起部を把持しながら蓋部を先端部に対して容易に切り離すことができる。
【発明の効果】
【００１６】
このように本発明によれば、小さい開口を必要とする化粧料から大きな開口を必要とする化粧料まで種々の化粧料に対応でき、且つ、初回使用時までバージン性を保つことができると共に、製造コストを低減できる化粧料繰出容器を提供できる。
【図面の簡単な説明】
【００１７】
【図１】本発明の一実施形態に係る化粧料繰出容器を示す縦断面図であり、未使用時の状態を示す縦断面図である。
【図２】図１中の充填部材を示す斜視図である。
【図３】図２に示す充填部材の正面図である。
【図４】図１中の充填部材の先端側を拡大して示す縦断面図である。
【図５】図１に示す化粧料繰出容器の蓋部を切り離した状態を示す縦断面図である。
【図６】図５中の充填部材を抽出して示す斜視図である。
【発明を実施するための形態】
【００１８】
以下、本発明による化粧料繰出容器の好適な実施形態について図１〜図６を参照しながら説明する。図１は、本発明の一実施形態に係る化粧料繰出容器を示す縦断面図であり、未使用時の状態を示す縦断面図、図２〜図４は、図１中の充填部材を示す各図、図５は、図１に示す化粧料繰出容器の蓋部を切り離した状態を示す縦断面図、図６は、図５中の充填部材を抽出して示す斜視図であり、図１及び図５に示すように、本実施形態の化粧料繰出容器１００は、皮膚等の被塗布部に棒状化粧料Ｍを塗布するためのものであり、使用者の操作により棒状化粧料Ｍを適宜繰り出して使用状態とするものである。
【００１９】
ここでは、棒状化粧料Ｍとして、例えば、リップスティック、アイライナー、アイブロー、リップライナー、コンシーラー等を始めとした種々の棒状化粧料を用いることが可能である。
【００２０】
化粧料繰出容器１００は、先端開口１ｇ（図５参照）が、図１に示すように、蓋部１ｄにより閉じられると共に後端が開放された筒状の充填部材１と、両端が開口されて筒状を成し充填部材１を同期回転可能且つ軸線方向移動不能に連結し当該充填部材１と一体化された本体筒２と、この本体筒２に相対回転可能且つ軸線方向移動不能に装着されると共に内周面に雌螺子３ａが形成された有底筒状の操作筒３とを、先端側から後端側に向かって順に備え、これら充填部材１、本体筒２及び操作筒３から外形が構成された容器内に、繰出機構を構成する各部材を収容して成る。
【００２１】
この繰出機構は、本出願人が先に出願し既に公開されている特開２００６−３０５２９９号公報に記載された化粧料繰出容器に採用されている繰出機構と同様であり、操作筒３内の底部から先端側に向かって立設された軸体３ｂと、この軸体３ｂに同期回転可能且つ軸線方向移動可能に連結されて進退可能とされると共に外周面に雄螺子４ｂが形成された移動体４と、この移動体４の先端に装着されて充填部材１内を摺接しながら進退するピストン６と、操作筒３の雌螺子３ａに螺合する雄螺子５ａを後端部の外周面に有すると共に移動体４の雄螺子４ｂと螺合する雌螺子５ｂを先端部の内周面に有し、本体筒２の内周面側に突設された係止部７に回転方向に係合することで、本体筒２に対して同期回転可能且つ軸線方向移動可能に連結された雌螺子部材５と、を備える構成とされ、充填部材１内のピストン６の前側の外面と蓋部１ｄの内面との間に、棒状化粧料Ｍが充填された状態とされている。
【００２２】
そして、操作筒３の雌螺子３ａ及び雌螺子部材５の雄螺子５ａにより第一の螺合部８が構成され、移動体４の雄螺子４ｂ及び雌螺子部材５の雌螺子５ｂにより第二の螺合部９が構成されており、ここでは、例えば第一の螺合部８の作動抵抗に比して第二の螺合部９の作動抵抗を上げる構成等を採用することで、第一の螺合部８が第二の螺合部９より先に作動するようになっている。
【００２３】
このような構成の化粧料繰出容器１００にあって、使用者により蓋部１ｄが取り外され（詳しくは後述）、図５に示すように、充填部材１に先端開口１ｇが開口された状態において使用者により充填部材１（又は本体筒２）と操作筒３とが繰り出し方向に相対回転されると、第一の螺合部８の螺合作用が第二の螺合部の螺合作用９より先に働き、雌螺子部材５が前進しこれに伴い移動体４、ピストン６及び棒状化粧料Ｍが前進して当該棒状化粧料Ｍが充填部材１の先端開口１ｇから出現し、雌螺子部材５の雄螺子５ａの先端が本体筒２の内周面側の係止部７の後端に突き当たる前進限に達すると、第一の螺合部８の螺合作用が停止し、この状態でさらに繰り出し方向に相対回転されると、今度は第二の螺合部９の螺合作用が働き、移動体４、ピストン６及び棒状化粧料Ｍが前進し当該棒状化粧料Ｍがさらに繰り出されて使用される。
【００２４】
また、使用後に、使用者により充填部材１（又は本体筒２）と操作筒３とが繰り戻し方向に相対回転されると、第一の螺合部８の螺合作用が第二の螺合部の螺合作用９より先に働き、雌螺子部材５が後退しこれに伴い移動体４、ピストン６及び棒状化粧料Ｍが後退し、雌螺子部材５の雄螺子５ａが操作筒３の雌螺子３ａから外れ螺合が解除されると、今度は第二の螺合部９の螺合作用が働き、移動体４、ピストン６及び棒状化粧料Ｍが後退し当該棒状化粧料Ｍが充填部材１内に没入する。なお、使用者により再度繰り出し方向に相対回転されると、雌螺子部材５の後部のバネ５ｃにより雌螺子部材５が前側に付勢されているため、雌螺子部材５の雄螺子５ａと操作筒３の雌螺子３ａとが螺合復帰し、上記棒状化粧料Ｍの繰り出し動作が再度実行される。
【００２５】
ここで、特に本実施形態においては、このようにして使用される化粧料繰出容器１００に対して、製造段階において、図１に示すように、充填部材１の開口１ｇが蓋部１ｄにより塞がれている。
【００２６】
具体的には、充填部材１は、その先端部が、これより後側の部分である本体部１ａに対して別部材とされた被覆部１ｂとされ、この被覆部１ｂが、本体部１ａの先端に装着される装着部１ｃと、この装着部１ｃに対して切り離し可能とされて先端開口１ｇを塞ぐ蓋部１ｄと、この蓋部１ｄを装着部１ｃに対して切り離す際に把持される突起部１ｅと、を有する構成とされている。
【００２７】
図１〜図４に示すように、被覆部１ｂの装着部１ｃは、本体部１ａの先端と同形状を成して当該本体部１ａの先端から前方に短尺に延び、蓋部１ｄは、中央部分が外側に凸となるように湾曲して先端開口１ｇを塞ぎ、突起部１ｅは、蓋部１ｄから外方に所定長突出するように構成されている。
【００２８】
そして、被覆部１ｂにおいて先端開口１ｇの周縁となる部分は、環状且つ間欠に並ぶ多数の孔１ｆを有しており、蓋部１ｄを装着部１ｃに対して切り離すための切離部を構成している。
【００２９】
ここで、本体部１ａは、例えばポリエチレンテレフタレート（ＰＥＴ）等を始めとした硬質の熱可塑性素材から成形され、上記装着部１ｃ、蓋部１ｄ及び突起部１ｅを有する被覆部１ｂは、例えばシリコンゴム等を始めとした軟質の弾性材から一体成形される。なお、被覆部１ｂを成形する他の材質としては、例えば、ニトリルゴム（ＮＢＲ）、エチレンプロピレンゴム（ＥＰＲ）、ブチルゴム（IIＲ）等の圧縮成形による熱硬化性素材や、ポリウレタン系エラストマー（ＴＰＵ）、ポリオレフィン系エラストマー（ＴＰＯ）、ポリエステル系エラストマー（ＴＰＥＥ）等の射出成形による熱可塑性素材や、低密度ポリエチレン（ＬＤＰＥ）等が挙げられる。
【００３０】
そして、本体部１ａと被覆部１ｂは、異材質射出成形機により一連で成形され、異材から成る本体部１ａと被覆部１ｂとが一体化された充填部材１が得られる。
【００３１】
このようにして得られた充填部材１は、棒状化粧料Ｍの充填・成形に用いられる。すなわち、充填部材１を被覆部１ｂが下になるように逆さにし、充填部材１の後側の開口から溶融化粧料を充填し冷却・固化させれば、充填部材１内に棒状化粧料Ｍが充填・成形される。
【００３２】
このように充填部材１内に溶融化粧料を充填して棒状化粧料Ｍを成形する場合には、充填部材１内の空気が孔１ｆを通して外部へ逃げるため、蓋部１ｄの内面に対応する部分となる棒状化粧料Ｍの先端部がでこぼこになることなく当該蓋部１ｄの内面に密着し、棒状化粧料Ｍが充填部材１内に綺麗且つ良好に充填される。
【００３３】
そして、このようにして棒状化粧料Ｍが充填された化粧料繰出容器１００は、図１に示すように、蓋部１ｄで先端開口１ｇを塞いだ状態で出荷され、これを購買した購買者は、初回使用時において蓋部１ｇを充填部材１から切り離し、図５及び図６に示すように、先端開口１ｇを形成する。具体的には、使用者は、突起部１ｅを把持して手前に引っ張り、蓋部１ｄと装着部１ｃとの間の切離部を境に当該蓋部１ｄを装着部１ｃから切り離す。
【００３４】
このとき、切離部は、先端開口１ｇの周縁となる部分に環状に設けられ間欠に並ぶ多数の孔１ｆを有する構成のため、蓋部１ｄは装着部１ｃから良好に切り離される。また、このとき、使用者は突起部１ｆを把持しながら蓋部１ｄを引っ張れるため、蓋部１ｄを装着部１ｃから容易に切り離すことができる。
【００３５】
そして、使用者は、前述したように化粧料繰出容器１００を操作することで棒状化粧料Ｍを繰り出し先端開口１ｇから出現させることにより使用することができる。
【００３６】
このように、本実施形態においては、蓋部１ｄが、充填部材１の先端部を構成する装着部１ｃと一体成形されて充填部材１の先端開口１ｇを塞ぎ使用者により当該装着部１ｃに対して切り離し可能とされているため、充填部材１の先端開口１ｇ周りに貼着面積を必要とせず、従って、小さい開口から大きな開口まで塞ぐことができ、小さい開口を必要とする化粧料から大きな開口を必要とする化粧料（特に太い棒状化粧料）まで種々の化粧料に対応できる。また、このように、蓋部１ｄは装着部１ｃと一体成形されて当該装着部１ｃに対して切り離し可能とされているため、シール部材に比して剥離の虞が無く初回使用時までバージン性を保つことができる（衛生的である）と共に、一々貼着の必要が無く製造コストを低減できる。
【００３７】
また、蓋部１ｄは、上記作用を奏する蓋として機能すると共に、前述したように、充填部材１内に溶融化粧料を充填して棒状化粧料Ｍを成形する際の型としても機能するため、多機能を発揮することができる。
【００３８】
また、充填部材１を構成する本体部１ａと被覆部１ｂは、互いに異なる材質から形成され、本体部１ａが硬い材質から構成されると共に、被覆部１ｂが本体部１ａより軟らかい材質から構成されているため、本体部１ａ内の棒状化粧料Ｍが硬い本体部１ａにより保護される一方で、本体部１ａの先端に装着され蓋部１ｄが切り離された軟らかい装着部１ｃが、棒状化粧料Ｍの塗布の際に皮膚等の被塗布部に接触することになり、良好な接触感が与えられると共に安全性が高められている。
【００３９】
以上、本発明をその実施形態に基づき具体的に説明したが、本発明は上記実施形態に限定されるものではなく、例えば、上記実施形態においては、特に好ましい作用・効果を奏するとして、充填部材１を構成する本体部１ａと先端部である被覆部１ｂとを互いに異なる材質から形成しているが、先端部（被覆部）１ｂを本体部１ａと同じ材質より一体成形し、蓋部１ｄを、先端部を含む本体部１ａに対して切り離し可能とするようにしても良い。
【００４０】
また、上記実施形態においては、蓋部１ｄを切り離す切離部を、充填部材１内に溶融化粧料を充填して棒状化粧料Ｍを成形する場合の空気抜きとしても利用でき特に有効であるとして、開口１ｇの周縁となる部分に環状に設けられ間欠に並ぶ多数の孔１ｆを有する構成としているが、当該切離部を、開口１ｇの周縁となる部分に環状に設けられその周囲より薄肉の薄肉部を有する構成としても良い。
【００４１】
また、上記実施形態においては、化粧料を棒状化粧料とし、蓋部１ｄが蓋としての機能の他に、棒状化粧料成形時の型としての機能も発揮できるようにしているが、本発明の化粧料繰出容器にあっては、半固体状、軟固形状、軟質状、ゼリー状等の化粧料や、液状化粧料を用いることもできる。但し、このような化粧料を用いる場合には、蓋部１ｄは蓋としての機能のみを発揮することになる（化粧料成形時の型としては機能しない）。また、液状化粧料を用いる場合には、一般的に、充填部材１の開口１ｇが、充填部材１の内径より小さくされる。
【００４２】
また、上記実施形態においては、特に好適であるとして、第一の螺合部８及び第二の螺合部９より成る二段の螺合部によって化粧料を繰り出す化粧料繰出容器に対する適用を述べているが、勿論、通常の一段の螺合部によって化粧料を繰り出す化粧料繰出容器に対しても適用可能であり、また、ノック式等によって化粧料を繰り出す化粧料繰出容器に対しても適用可能であり、さらには、チューブやソフトボトル等の単純なスクイーズ式の化粧料繰出容器に対しても適用可能である。
【００４３】
また、充填部材１の本体部１ａと被覆部１ｂの両方を透明としたり、または、何れか一方を透明とし、内部を視認できるようにしても良い。さらに、本体部１ａと被覆部１ｂの両方を内部の化粧料と同じ色に着色したり、または、何れか一方を化粧料と同じ色に着色して、内部の化粧料の色が認識できるようにしても良い。勿論、内部の化粧料とは違う色に本体部１ａと被覆部１ｂを着色しても良い。
【００４４】
さらにまた、雄螺子、雌螺子は、間欠的に配される突起群又は螺旋状且つ間欠的に配される突起群のように螺子山と同様な働きをするものであっても良く、また、螺合突起の場合には、連続する螺子山であっても良い。
【符号の説明】
【００４５】
１…充填部材、１ａ…充填部材の本体部、１ｂ…被覆部、１ｃ…装着部（先端部）、１ｄ…蓋部、１ｅ…突起部、１ｆ…孔、１ｇ…充填部材の先端開口、１００…化粧料繰出容器、Ｍ…棒状化粧料（化粧料）。
【図１】
2010220923.tif 000003
【図２】
2010220923.tif 000004
【図３】
2010220923.tif 000005
【図４】
2010220923.tif 000006
【図５】
2010220923.tif 000007
【図６】
2010220923.tif 000008